【手続補正書】
【提出日】令和3年3月12日(2021.3.12)
【手続補正１】
【補正対象書類名】特許請求の範囲
【補正対象項目名】全文
【補正方法】変更
【補正の内容】
【特許請求の範囲】
【請求項１】
プロジェクタイル（Ｐ）が、プロジェクタイル（Ｐ）に取り付けられた緯糸の挿入を実行するために、杼口の上流および下流へと延びた案内トラックに沿って織機の開いた杼口へと順次に発射される形式のプロジェクタイル織機において緯糸を把持／解放するためのシステムであって、
前記プロジェクタイル（Ｐ）の各々は、該プロジェクタイル（Ｐ）の本体へと枢支された把持レバー（１）を内部に収容して備えており、
前記把持レバー（１）は、
ａ．緯糸提示装置によって前記プロジェクタイル（Ｐ）の近くに移動させられた緯糸を把持するために、該把持レバー（１）の一方の自由端（１ｐｅ）が前記プロジェクタイル（Ｐ）の輪郭から突出する緯糸把持位置と、
ｂ．前記プロジェクタイル（Ｐ）の前記杼口への挿入時に緯糸を確実に保持するために、該把持レバー（１）の前記自由端（１ｐｅ）が完全に前記プロジェクタイル（Ｐ）の輪郭の内側に位置して、前記プロジェクタイル（Ｐ）の前記本体と一体の当接面（５）に当接する緯糸クランプ位置と
の間を移動可能であり、
前記把持レバー（１）は、押し手段（Ｍ）によって前記緯糸把持位置に押し込まれた状態に保たれており、
前記押し手段（Ｍ）の作用に逆らって前記緯糸把持位置へと向かう前記把持レバー（１）の開放運動が、前記プロジェクタイル（Ｐ）の片側から突出する前記把持レバー（１）の制御部（１ｐｓ）と、前記杼口の入口よりも前の前記プロジェクタイル（Ｐ）の前記案内トラックの一部分に沿って配置された第１の固定スライド（Ｓ１）の上り斜面との間の接触によって引き起こされ、前記把持レバーの前記制御部（１ｐｓ）は、前記プロジェクタイル（Ｐ）の前記把持レバー（１）の前記自由端（１ｐｅ）が突出する側とは異なる側から突出する、ことを特徴とするプロジェクタイル織機において緯糸を把持／解放するためのシステム。
【請求項２】
前記プロジェクタイル（Ｐ）の各々は、該プロジェクタイル（Ｐ）の本体へと枢支された解放レバー（３）を内部に収容してさらに備えており、
前記解放レバー（３）は、
ａ．該解放レバー（３）の操作アーム（３ａ）が前記把持レバー（１）の一部分に隣接するホーム位置と、
ｂ．前記把持レバー（１）の前記自由端（１ｐｅ）を前記当接面（５）から離れるように移動させることによって緯糸の解放を可能にするために、該解放レバー（３）の前記操作アーム（３ａ）の自由端が前記把持レバー（１）を前記押し手段（Ｍ）の作用に逆らって回転させる緯糸解放位置と
の間を移動可能であり、
前記緯糸解放位置へと向かう前記解放レバー（３）の回転運動は、前記解放レバー（３）の一部分（８）と、前記杼口の出口よりも後の前記プロジェクタイル（Ｐ）の前記案内トラックの一部分に沿って配置された第２の固定スライド（Ｓ２）の上り斜面との間の接触によって引き起こされる、請求項１に記載のプロジェクタイル織機において緯糸を把持／解放するためのシステム。
【請求項３】
前記押し手段は、前記把持レバー（１）の両側においてプロジェクタイル（Ｐ）の本体に形成された適切な円筒形のハウジング内に配置された１対のコイルばね（Ｍ）で構成される、請求項１または２に記載のプロジェクタイル織機において緯糸を把持／解放するためのシステム。
【請求項４】
前記把持レバー（１）は、２アーム式レバーであり、前記コイルばね（Ｍ）は、前記把持レバー（１）の復帰アーム（１ｒ）の自由端に対して圧縮力によって作用し、前記復帰アーム（１ｒ）は、前記把持レバー（１）の前記自由端（１ｐｅ）を保持する前記把持レバー（１）の把持アーム（１ｐ）に対して前記把持レバー（１）の枢支点（２）の反対側に位置する、請求項３に記載のプロジェクタイル織機において緯糸を把持／解放するためのシステム。
【請求項５】
前記緯糸解放位置において、前記把持レバー（１）の前記自由端（１ｐｅ）の外形は、完全に前記プロジェクタイル（Ｐ）の輪郭の内側にある、請求項２に記載のプロジェクタイル織機において緯糸を把持／解放するためのシステム。
【請求項６】
前記解放レバー（３）は、プロジェクタイル（Ｐ）の本体に形成されたハウジング内に配置された永久磁石（７）で構成される復帰手段によって前記ホーム位置に保たれる、請求項２に記載のプロジェクタイル織機において緯糸を把持／解放するためのシステム。
【請求項７】
前記解放レバー（３）は、２アーム式レバーであり、前記永久磁石（７）は、前記解放レバー（３）の被制御アーム（３ｃ）に作用し、前記被制御アーム（３ｃ）は、前記把持レバー（１）に接触する前記解放レバーの前記操作アーム（３ａ）に対して前記解放レバー（３）の枢支点（４）の反対側に位置する、請求項６に記載のプロジェクタイル織機において緯糸を把持／解放するためのシステム。
【請求項８】
前記プロジェクタイル（Ｐ）は、該プロジェクタイルの全長にわたって該プロジェクタイルの下半分から突出して棚状部（９）を形成している２つの横方向拡張部を備え、前記解放レバー（３）の前記被制御アーム（３ｃ）は、該アームの自由端において２つの互いに間隔を空けて位置するアーチ型の突起（８）へと分かれており、該突起（８）は、前記解放レバー（３）が前記ホーム位置にあるとき、前記棚状部（９）に設けられた適切な切り欠きから突出し、前記突起（８）は、前記解放レバー（３）の前記第２の固定スライド（Ｓ２）との接触面を構成する、請求項７に記載のプロジェクタイル織機において緯糸を把持／解放するためのシステム。
【請求項９】
前記プロジェクタイル（Ｐ）の制動面が、該プロジェクタイルの上面および前記棚状部（９）の表面で構成される、請求項８に記載のプロジェクタイル織機において緯糸を把持／解放するためのシステム。
【請求項１０】
前記プロジェクタイル（Ｐ）の上部は、前記棚状部（９）に少なくとも部分的に重なる横方向の張り出し部（１１）によって広げられている、請求項９に記載のプロジェクタイル織機において緯糸を把持／解放するためのシステム。
【請求項１１】
前記プロジェクタイル（Ｐ）は、前記案内トラックのフック（Ｇ）と協働する側部接触面を備え、該側部接触面は、前記プロジェクタイルの上部に向かうにつれて収束するように傾けられており、上部接触面は設けられていない、請求項１〜１０のいずれか一項に記載のプロジェクタイル織機において緯糸を把持／解放するためのシステム。
【請求項１２】
前記プロジェクタイル（Ｐ）は、前記案内トラックのフック（Ｇ）と協働する垂直な側部接触面および水平な上部接触面を備える、請求項１〜１１のいずれか一項に記載のプロジェクタイル織機において緯糸を把持／解放するためのシステム。
【請求項１３】
前記把持レバー（１）の把持アーム（１ｐ）及び復帰アーム（１ｒ）は、ほぼ互いに垂直である、請求項１〜１２のいずれか一項に記載のプロジェクタイル織機において緯糸を把持／解放するためのシステム。
【請求項１４】
前記解放レバー（３）の被制御アーム（３ｃ）及び操作アーム（３ａ）は、ほぼ互いに整列している、請求項２〜１３のいずれか一項に記載のプロジェクタイル織機において緯糸を把持／解放するためのシステム。
【請求項１５】
前記第１の固定スライド（Ｓ１）と協働する前記把持レバー（１）の下部（１ｐｓ）および前記第２の固定スライド（Ｓ２）と協働する前記解放レバー（３）の自由端の突起（８）が、前記プロジェクタイル（Ｐ）の後部および前部のそれぞれの近傍に配置されるよう、前記把持レバー（１）は前記プロジェクタイル（Ｐ）の後端の付近に枢支され、前記解放レバー（３）は前記プロジェクタイル（Ｐ）のほぼ中央の位置に枢支される、請求項２〜１４のいずれか一項に記載のプロジェクタイル織機において緯糸を把持／解放するためのシステム。
【手続補正２】
【補正対象書類名】明細書
【補正対象項目名】００２７
【補正方法】変更
【補正の内容】
【００２７】
プロジェクタイルＰが杼口の反対側の端部に到達したときに緯糸の解放を可能にするために、レバー１は、解放レバー３の被制御アーム３ｃの前部自由端に設けられた１対の突起８と杼口の外部の適切な位置に配置された第２の固定ダブルスライドＳ２との間の接触によって、再びわずかに開かれる（図７）。このダブルスライドＳ２は、プロジェクタイルＰの棚状部９に対応して、とくにはプロジェクタイルＰの上方に、このプロジェクタイルＰの両側に対称に配置される。この第２ダブルスライドＳ２も、突起８の上部の弓形の部分に徐々に接触して解放レバー３の両方の回転方向の緩やかな回転運動を引き起こす上りおよび下りの斜面を備える。